【事件の表示】
　特願２００６−１０４６０３号「高圧放電ランプ点灯装置」拒絶査定不服審判事件〔平成１９年１０月２５日出願公開、特開２００７−２８０７３４号〕について、次のとおり審決する。
【結　論】
　本件審判の請求は、成り立たない。
【理　由】
１．手続の経緯 
　本願は、平成１８年４月５日の出願であって、平成２４年１月２７日付けで拒絶査定がなされ、これに対して、平成２４年５月１日に拒絶査定不服審判の請求がされるとともに、同日付けで手続補正がされたものである。 
　 
２．平成２４年５月１日付けの手続補正（以下「本件補正」という。）について
　本件補正は、補正前の明細書の段落【００５３】を次のように補正するものである。
「【００５３】
　（５）変化させる最大の周波数は、最小の周波数の３倍以上であることが好ましい。最大と最小の周波数にこの程度の差を設けると、電極間距離を適正に維持しやすいと考えられるからである。
　（６）本実施の形態においては、周波数を３４０Ｈｚ、１７０Ｈｚ、８５Ｈｚの３つの周波数を切り替えて変化させているが、切り替える周波数が２つのみであっても構わない。その場合、電極間距離を従来より適正に維持する期間を長くするためには、上記２つの周波数の内の大きい方の周波数を、寿命初期段階に電極の先端が
後退
成長
　この補正は、補正前の「後退」と「成長」を取り違えて本来の意味とは反対に記載していたものをそれぞれ「成長」、「後退」と直すもので、補正前の誤記を本来の意味に沿った記載に訂正するものである。
　
３．本願発明について 　　　　
（１）本願発明　　　　
　本願の各請求項に係る発明は、平成２１年３月３０日付け手続補正書により補正された特許請求の範囲の請求項１に記載された次のとおりのものである。 
　「【請求項１】
　内部に、ハロゲン物質及びキセノンが封入され、かつ先端部に突起部がハロゲンサイクル作用によって形成されているタングステン製の一対の電極が配置されている発光管を有する高圧水銀放電ランプに対して交流電流を供給して点灯させる点灯回路を備え、
　前記点灯回路は、連続点灯中において、前記交流電流の周波数を、前記高圧水銀放電ランプの点灯経過時間とともに変化する動作データに依存することなく２つ以上の異なる値に複数回切り替えて変化させ、変化させる最大の周波数が、３００Ｈｚ〜５００Ｈｚであって、かつ最小の周波数の３倍以上であることを特徴とする高圧放電ランプ点灯装置。」（以下、請求項１に係る発明を「本願発明」という。）
 
　 
（２）引用刊行物 
　（ア）本願出願日前に頒布された、原査定において引用文献１として引用された刊行物である特開２００６−５９７９０号公報（以下「引用例１」という。）には、高圧放電ランプ点灯装置、特に、水銀が０．２ｍｇ／ｍｍ３以上封入されて、点灯時の圧力は２００気圧以上になる超高圧放電ランプとその給電装置よりなる点灯装置に関し、図面とともに次の技術事項が記載されている。 
　
・「【発明の効果】
【０００９】
　本発明は、上記構成によって、以下の作用効果を有する。
　第一に、電極先端に突起を形成させて、当該突起を起点として安定なアーク放電を形成できる。特許文献１に開示されるように、突起を消滅させる技術ではなく、積極的に突起を作るわけである。これにより、当該突起を起点としたアークが形成されるため、放電ランプの点灯を安定化させることができるという効果を有する。
　第二に、アーク起点となる突起以外の余計な突起の発生を防止できる。これは、電極先端に突起が複数個形成されると、これら突起間でいわゆるアークジャンプが発生し、結果としてアークが不安定になるからである。本発明は、上記アーク起点となるべき突起のみを発生、維持させるとともに、当該突起以外の余計な突起が生成、成長することを防止するわけである。
【発明を実施するための最良の形態】
【００１０】
　図１に本発明の対象となる高圧放電ランプを示す。
　放電ランプ１０は、石英ガラスからなる放電容器によって形成された概略球形の発光部１１を有する。この発光部１１の中には一対の電極２０が２ｍｍ以下の間隔で対向配置している。また、発光部１１の両端部には封止部１２が形成される。この封止部１２には、モリブデンよりなる導電用金属箔１３が、例えばシュリンクシールにより気密に埋設される。金属箔１３の一端には電極２０の軸部が接合しており、また、金属箔１３の他端には外部リード１４が接合して外部の給電装置から給電が行なわれる。
　発光部１１には、水銀と、希ガスと、ハロゲンガスが封入されている。水銀は、必要な可視光波長、例えば、波長３６０〜７８０ｎｍの放射光を得るためのもので、０．２ｍｇ／ｍｍ３以上封入されている。この封入量は、温度条件によっても異なるが、点灯時２００気圧以上で極めて高い蒸気圧となる。また、水銀をより多く封入することで点灯時の水銀蒸気圧２５０気圧以上、３００気圧以上という高い水銀蒸気圧の放電ランプを作ることができ、水銀蒸気圧が高くなるほどプロジェクター装置に適した光源を実現できる。
【００１１】
　希ガスは、例えば、アルゴンガスが約１３ｋＰａ封入される。その機能は点灯始動性を改善することにある。ハロゲンは、沃素、臭素、塩素などが水銀あるいはその他の金属と化合物の形態で封入される。ハロゲンの封入量は、１０−６μｍｏｌ／ｍｍ３〜１０−２μｍｏｌ／ｍｍ３の範囲から選択される。ハロゲンの機能は、いわゆるハロゲンサイクルを利用した長寿命化であるが、本発明の放電ランプのように極めて小型できわめて高い点灯蒸気圧のものは、放電容器の失透防止をいう作用もある。
　放電ランプの数値例を示すと、例えば、発光部の最大外径９．５ｍｍ、電極間距離１．５ｍｍ、発光管内容積７５ｍｍ３、定格電圧７０Ｖ、定格電力２００Ｗであり交流点灯される。
　また、この種の放電ランプは、小型化するプロジェクター装置に内蔵されるものであり、全体寸法として極めて小型化が要請させる一方で高い発光光量も要求される。このため、発光部内の熱的影響は極めて厳しいものとなる。ランプの管壁負荷値は０．８〜２．０Ｗ／ｍｍ２、具体的には１．５Ｗ／ｍｍ２となる。
　このような高い水銀蒸気圧や管壁負荷値を有することがプロジェクター装置やオーバーヘッドプロジェクターのようなプレゼンテーション用機器に搭載された場合に、演色性の良い放射光を提供することができる。
【００１２】
　電極２０の先端（他方の電極に対向する端部）には、ランプの点灯に伴い、突起が形成される。このような突起が形成される現象は、必ずしも明らかではないが、以下のように推測できる。
　すなわち、ランプ点灯中に電極先端付近の高温部から蒸発したタングステン（電極の構成材料）は、発光管内に存在するハロゲンや残留酸素と結合して、例えばハロゲンがＢｒならＷＢｒ、ＷＢｒ２、ＷＯ、ＷＯ２、ＷＯ２Ｂｒ、ＷＯ２Ｂｒ２などのタングステン化合物として存在する。これら化合物は電極先端付近の気相中の高温部においては分解してタングステン原子または陽イオンとなる。温度拡散（気相中の高温部＝アーク中から、低温部＝電極先端近傍に向かうタングステン原子の拡散） 、および、アーク中でタングステン原子が電離して陽イオンになり、陰極動作しているとき電界によって陰極方向へ引き寄せられる（＝ドリフト）ことによって、電極先端付近における気相中のタングステン蒸気密度が高くなり、電極先端に析出し、突起を形成するものと考えられる。
【００１３】
　図２は電極先端と突起を示すことを目的として、図１に示す電極２０の先端を模式化して表したものである。電極２０は、それぞれ球部２０ａと軸部２０ｂから構成され、球部２０ａの先端に突起２１が形成している。この突起２１は、ランプ点灯開始時に存在しない場合であっても、その後の点灯により、いわば自然発生的に形成される。
　この突起は、いかなる放電ランプであっても生じるというわけではない。電極間距離が２ｍｍ以下であって、発光部に０．１５ｍｇ／ｍｍ３以上の水銀と、希ガスと、１×１０−６〜１×１０−２μｍｏｌ／ｍｍ３の範囲でハロゲンを封入したショートアーク型放電ランプにおいて、ランプ点灯に伴い、突起が形成されることが知られている。
　なお、突起の大きさについて、数値例をあげると、電極の最大径（放電方向に垂直な方向）がφ１．０〜１．５ｍｍであって、電極間距離が１．０〜１．５ｍｍの場合に、約０．２〜０．６ｍｍ程度の直径となる。
【００１４】
　この突起は、本発明に係る放電ランプのように、電極間距離２ｍｍ以下であって発光管内に０．２ｍｇ／ｍｍ３以上の水銀を含むプロジェクター装置の光源として用いられる場合は不可欠となる。
　なぜなら、発光管内に０．２ｍｇ／ｍｍ３以上もの水銀を含み、動作圧力が２００気圧以上にも達する放電ランプにおいては、高い蒸気圧によって、アーク放電が小さく絞られ、結果として放電起点も小さく絞られるからである。
　このため、特許文献１に開示するように、突起を消滅させた球面状の電極では、放電起点が小刻みに移動してしまい、プロジェクター装置の映像画面にフリッカー（チラツキ）という問題を導くからである。特に、２ｍｍ以下という短い電極間距離に形成されるアーク輝点は、０．５ｍｍ以下というわずかな移動であっても、映像画面にとして致命的なフリッカーとなりかねない。
【００１５】
　この点で特許文献１に開示する放電ランプは、封入水銀量が０．１８ｍｇ／ｍｍ３というレベルであり、本願発明のように０．２０ｍｇ／ｍｍ３以上ではないので、放電アークや放電起点を絞る作用の働きが低く、すなわち、先端球面状の電極であればフリッカーの問題を解決できたものと考えられる。
【００１６】
　また、本願発明が対象とされる放電ランプは、電極先端に突起が形成され、そこを起点としてアーク放電が発生するため、アークからの光が電極の球部２０ａによって遮られにくくなり、このため、光の利用効率が向上し、より明るい映像が得られるという利点も生じる。なお、図２は模式化した図面ではあるが、通常、軸部２０ｂの先端には、軸径より大きい径を有する球部に相当する要素を有している。この点は、後述する図７が参照される。
【００１７】
　図３は上記放電ランプを点灯させる給電装置を示す。
　点灯装置は放電ランプ１０と給電装置から構成される。給電装置は、直流電圧が供給される降圧チョッパ回路１と、降圧チョッパ回路１の出力側に接続され直流電圧を交流電圧に変化させて放電ランプ１０に供給するフルブリッジ型インバータ回路２（以下、「フルブリッジ回路」ともいう）と、放電ランプに直列接続されたコイルＬ１、コンデンサＣ１、およびスタータ回路３から構成される。
　なお、降圧チョッパ回路１、フルブリッジ回路２、スタータ回路３により給電装置を構成し、放電ランプ１０を含めて点灯装置と称される。
【００１８】
　降圧チョッパ回路１は、直流電源ＶＤＣに接続され、スイッチング素子Ｑｘと、ダイオードＤｘと、コイルＬｘと、平滑コンデンサＣｘと、スイッチング素子Ｑｘの駆動回路Ｇｘから構成される。スイッチング素子Ｑｘは、駆動回路Ｇｘによりオン／オフ駆動される。この駆動によって、スイッチング素子Ｑｘのディーテュ比が調整されて、放電ランプ１０に供給される電流あるいは電力が制御される。
　フルブリッジ回路２は、ブリッジ状に接続されたトランジスタやＦＥＴのスイッチング素子Ｑ１〜Ｑ４と、スイッチング素子Ｑ１〜Ｑ４の駆動回路Ｇ１〜Ｇ４から構成される。なお、スイッチング素子Ｑ１〜Ｑ４には、各々に並列にダイオードが逆並列に接続されることもあるが、この実施例においてダイオードは省略している。
　上記スイッチング素子Ｑ１〜Ｑ４は、図示略の制御部を介して駆動回路Ｇ１〜Ｇ４により駆動される。
【００１９】
　フルブリッジ回路２の動作は、スイッチング素子Ｑ１、Ｑ４と、スイッチング素子Ｑ２、Ｑ３を交互にオン、オフを繰り返す。スイッチング素子Ｑ１、Ｑ４がオンするときは、降圧チョッパ回路１→スイッチング素子Ｑ１→コイルＬ１→放電ランプ１０→スイッチング素子Ｑ４→降圧チョッパ回路１に電流が流れる。一方、スイッチング素子Ｑ２、Ｑ３がオンするときは、降圧チョッパ回路１→スイッチング素子Ｑ３→放電ランプ１０→コイルＬ１→スイッチング素子Ｑ２→降圧チョッパ回路１の経路で放電ランプ１０に交流矩形波電流を供給する。
　上記スイッチング素子Ｑ１〜Ｑ４を駆動するに際し、スイッチング素子Ｑ１〜Ｑ４の同時オンを防止するため、交流矩形波の極性切り替わり時に、スイッチング素子Ｑ１〜Ｑ４の全てオフにする期間（デッドタイムＴｄ）が設けられる。
【００２０】
　なお、放電ランプ１０に供給される交流矩形波出力の周波数は、６０〜１０００Ｈｚ（定常周波数）の範囲から選択されるものであり、例えば２００Ｈｚである。また、上記デッドタイム期間は、０．５μｓ〜１０μｓの範囲から選択される。
【００２１】
　ここで、本発明の高圧放電ランプ点灯装置は、図３に示す給電装置によって、図１に示す放電ランプを定常周波数（６０〜１０００Ｈｚ）で点灯させつつ、この定常周波数よりも低い周波数を半周期〜５周期の長さで０．１秒〜１２０秒の間隔で挿入することを特徴としている。
【００２２】
　図４は放電ランプ１０の電流波形を示し、縦軸は電流値、横軸は時間を表す。図示されるように、放電ランプの電流波形は、定常周波数、例えば２００Ｈｚで駆動される中で、間欠的に当該定常周波数より低い低周波数、例えば１０Ｈｚで駆動される。
　この低周波数は、定常周波数より低い周波数であって、５〜２００Ｈｚの範囲、好ましくは５〜５０Ｈｚの範囲から選択される。また、この低周波数は、０．０１秒〜１２０秒、好ましくは０．１秒〜１２０秒、あるいは１秒〜１２０秒の間隔で周期的に発生する。この低周波数が挿入される間隔は、図において、低周波挿入周期と示される期間であり、１回の低周波波形が始めるタイミングから次の低周波波形が始まるタイミングまでの時間間隔と定義される。また、低周波点灯が挿入される長さは、図のように１周期に限定されるものではなく、後述するように、半周期以上５周期以下の期間から選択される。
【００２３】
　上記低周波の周波数（５〜２００Ｈｚ）、挿入される長さ（半周期〜５周期）、および挿入される間隔（０．０１秒〜１２０秒）は、放電ランプの設計、特に電極の熱的な設計との関係において、選定される。
　一例をあげると、放電ランプの定格電力が１２０Ｗのとき、定常周波数は９０Ｈｚ、低周波周波数は５Ｈｚ、挿入される長さは１周期数、挿入間隔は１５秒となる（点灯例１）。また、放電ランプの定格電力が１５０Ｗのとき、定常周波数は１２５Ｈｚ、低周波周波数は５Ｈｚ、挿入される長さは１周期数、挿入間隔は１５秒となる(点灯例２)。また、放電ランプの定格電力が２００Ｗのとき、定常周波数は２００Ｈｚ、低周波周波数は７．５Ｈｚ、挿入される長さは１周期数、挿入間隔は１０秒となる（点灯例３）。また、放電ランプの定格電力が２５０Ｗのとき、定常周波数は４００Ｈｚ、低周波周波数は１５Ｈｚ、挿入される長さは１周期数、挿入間隔は０．１秒となる（点灯例４）。また、放電ランプの定格電力が１３５Ｗのとき、定常周波数は３６０Ｈｚ、低周波周波数は４５Ｈｚ、挿入される長さは０．５周期数、挿入間隔は０．０２秒となる（点灯例５）。また、放電ランプの定格電力が１３５Ｗのとき、定常周波数は５４０Ｈｚ、低周波周波数は１８０Ｈｚ、挿入される長さは１周期数、挿入間隔は０．０２秒となる（点灯例６）。
【００２４】
　ここで、低周波数点灯を定常周波数点灯の中に周期的に挿入することの技術的な作用効果について説明する。本発明が対象とする放電ランプが、電極先端に突起を形成させる方がアークを安定できるという意味で有利であることは既に説明した。
　しかし、突起を生成するだけの制御のみであれば、本来必要となるべき突起以外に、余計な突起が派生することがある。本願発明において、低周波数点灯を定常周波数点灯の中に周期的に挿入する制御は、まさに、このような余計な突起の生成を防止することにほかならない。」 
　 
　上記記載事項及び図面から、次のことが明らかである。 
・点灯装置は高圧放電ランプ１０と給電装置から構成され、高圧放電ランプ１０は発光部１１を有し，発光部１１の内部に水銀と、希ガスと、ハロゲンガスが封入されており、給電装置は高圧放電ランプ１０を点灯させるために交流電流を供給する。
　
・発光部１１の中にはタングステン製の一対の電極２０が間隔をおいて対向配置し、その先端部にハロゲンサイクルにより突起が形成されている。
　
・給電装置は高圧放電ランプ１０を定常周波数で点灯させつつ、間欠的にこの定常周波数よりも低い周波数を半周期〜５周期の長さで０．１秒〜１２０秒の間隔で挿入しているから、連続点灯中に交流電流の周波数を定常周波数と低い周波数の２つの異なる値に複数回切り替えて変化させている。 
　
・上記記載事項及び図４，図６の記載から、連続点灯中において、交流電流の周波数は高圧放電ランプ１０の点灯経過時間とともに変化する高圧放電ランプ１０の電圧値、電流値、輝度、電極間距離、温度などの測定可能なデータに依存していないことは明らかである。
   
・上記【００２３】の点灯例１〜６においては、２つの異なる値に複数回切り替えて変化させる周波数のうち、大きい方の定常周波数は６０〜１０００Ｈｚで、小さい方の低い周波数は５〜２００Ｈｚであり、かつ、大きい方の定常周波数は小さい方の低い周波数の３倍以上になっている。
　
　上記記載事項、点灯例１〜６及び図面の記載を総合すると、引用例１には、次の発明（以下「引用発明」という。）が実質的に記載されていると認められる。 
「内部に、水銀とハロゲンガス及び希ガスが封入され、かつ先端部に突起がハロゲンサイクルによって形成されているタングステン製の一対の電極が配置されている発光部１１を有する高圧放電ランプ１０に対して交流電流を供給して点灯させる給電装置を備え、
　前記給電装置は、連続点灯中において、前記交流電流の周波数を、前記高圧放電ランプ１０の点灯経過時間とともに変化する高圧放電ランプ１０の測定可能なデータに依存することなく２つの異なる値に複数回切り替えて変化させ、変化させる定常周波数は６０〜１０００Ｈｚで低い周波数は５〜２００Ｈｚであり、かつ定常周波数は低い周波数の３倍以上であることを特徴とする高圧放電ランプ点灯装置。」 
　
　（イ）同じく、原査定において引用例２として引用された刊行物である特開２００３−３３８３９４号公報（以下「引用例２」という。）には高圧水銀放電ランプに関して、次の技術事項が記載されいる。　 
　
「【００２０】発光部１０１ａ内部の発光空間１０８内には、発光物質である水銀１０９及び始動補助用としてのアルゴン、クリプトン、キセノンなどの希ガスと、併せて沃素、臭素などのハロゲン物質が封入されている。この場合、前記水銀１０９の封入量は、発光管内容積あたり１５０〜６５０ｍｇ／ｃｍ3（ランプ定常点灯時の水銀封入圧力にして約１５ＭＰａ〜６５ＭＰａに相当）の範囲に、前記希ガスのランプ冷却時の封入圧力は、０．０１ＭＰａ〜１ＭＰａの範囲にそれぞれ設定されている。
【００２１】なお、前記ハロゲン物質としては、従来から１×１０-10〜１×１０-4ｍｏｌ／ｃｍ3の範囲の臭素が用いられており、これはいわゆるハロゲンサイクル作用により電極から蒸発しタングステンを元の電極に戻して発光管黒化を抑制するという機能を果たすために封入されるものである。ハロゲンサイクル作用を最も効果的に機能させるための臭素封入量としては、特に１×１０-9ｍｏｌ／ｃｍ3以上１×１０-5ｍｏｌ／ｃｍ3以下であることが好ましい。」  
　
　この記載事項から次の技術事項が明らかである。
・高圧水銀放電ランプにおいて、始動補助用としての希ガスとしてのアルゴン、クリプトン、キセノンなどが用いられている点（以下「引用例２に記載された事項」という。）
　
（３）対比 
　本願発明と引用発明とを比較すると、本願発明も引用発明も高圧放電ランプ点灯装置である。引用発明の「高圧放電ランプ１０」はその内部に、水銀とハロゲンガス及び希ガスが封入されているが、水銀は発光物質として、希ガスは始動補助用ガスとして、併せてハロゲンガスはハロゲンサイクルによりタングステン製の電極から蒸発したタングステンを元の電極に戻して発光部の失透防止（黒化を抑制する）という機能を果たすために封入されているものであるから、本願発明の「高圧水銀放電ランプ」に相当する。
　以下同様に、「ハロゲンガス」は「ハロゲン物質」に、「突起」は「突起部」に、「ハロゲンサイクル」は「ハロゲンサイクル作用」に、「発光部１１」は「発光管」に、「給電装置」は「点灯回路」に、「（高圧放電ランプ１０の）測定可能なデータ」は「（高圧水銀放電ランプの）動作データ」に相当する。   
　引用発明において、複数回切り替えて変化させる２つの異なる値の周波数として、大きい方の周波数である定常周波数は６０〜１０００Ｈｚで、小さい方の周波数である低い周波数は５〜２００Ｈｚであり、かつ大きい方の周波数である定常周波数は小さい方の周波数である低い周波数の３倍以上となっているから、大きい方の周波数である「定常周波数６０〜１０００Ｈｚ」、小さい方の周波数である「低い周波数」は、本願発明の２つ以上の異なる値に複数回切り替えて変化させる「最大の周波数３００Ｈｚ〜５００Ｈｚ」、「最小の周波数」にそれぞれ相当している。
　また、引用発明の「希ガス」と本願発明の「キセノン」とは、ともに「始動補助用としての希ガス」で共通する。 
 
　すると、両者は本願発明の表現によると次の点で一致する。 
（一致点） 
　「内部に、ハロゲン物質及び始動補助用としての希ガスが封入され、かつ先端部に突起部がハロゲンサイクル作用によって形成されているタングステン製の一対の電極が配置されている発光管を有する高圧水銀放電ランプに対して交流電流を供給して点灯させる点灯回路を備え、
　前記点灯回路は、連続点灯中において、前記交流電流の周波数を、前記高圧水銀放電ランプの点灯経過時間とともに変化する動作データに依存することなく２つ以上の異なる値に複数回切り替えて変化させ、変化させる最大の周波数が、３００Ｈｚ〜５００Ｈｚであって、かつ最小の周波数の３倍以上であることを特徴とする高圧放電ランプ点灯装置。」 
　 
　一方で、両者は、次の点で相違する。 
（相違点） 
　始動補助用としての希ガスとして、本願発明が「キセノン」であるのに対して、引用発明は単に「希ガス」としている点。 
　 
（４）相違点についての判断 
　上記の引用例２には「高圧水銀放電ランプにおいて、始動補助用としての希ガスとしてのアルゴン、クリプトン、キセノンなどが用いられている」点（上記の「引用例２に記載された事項」参照）が記載されている。
　そうすると、引用発明の「希ガス」として、上記の引用例２に記載された事項を適用し、本願発明の上記相違点に係る「キセノン」とすることは、当業者であれば容易になし得たものということができる。 
　そして、本願発明により得られる作用効果も、引用発明及び引用例２に記載された事項から当業者であれば予測できる範囲のものであって、格別とはいえない。 
　
　したがって、本願発明は、引用発明及び引用例２に記載された事項に基づいて、当業者が容易に発明をすることができたものである。 
　 
（５）むすび 
　以上のとおりであるから、本願発明は、特許法第２９条第２項の規定により特許を受けることができない。  
　よって、結論のとおり審決する。